(57)【要約】【課題】  液体溜めに表層液を回収する（流入させる）のに際し、ポンプの側に排出する為に接続している配管の内部を液体が流れることによって発生するであろう運動を、表層液を流入させる液体流入口を備えた液体溜めを形成している浮揚物の上下運動として使用している技術は見られず、上下運動の発生に蛇腹筒または隔壁からなる可撓性部材を使用する等、装置全体として無駄な構成を行っていた。【解決手段】  浮上油を流入させる入口１１ｘの一部が液面ＷＬを覗くように浮いている浮上油吸込みポット１０が在り、浮上油吸込みポット１０に流入した浮上油を排出しまたは排出を停止することで、排出の際に浮上油吸込みポット１０を下降させると同時に浮上油が入口１１ｘより流入するようにした。【選択図】      図１
2006061894.tif 000002
【特許請求の範囲】
【請求項１】
浮上油を流入させる入口（１１ｘ）の一部が液面（ＷＬ）を覗くように浮いている浮上油吸込みポット（１０）が在り、前記浮上油吸込みポット（１０）に流入した浮上油を排出しまたは排出を停止することで、排出の際に前記浮上油吸込みポット（１０）を下降させると同時に浮上油が前記入口（１１ｘ）より流入するようにしたことを特徴とする浮上油の回収方法。
【請求項２】
排出の際に前記浮上油吸込みポット（１０）を下降させる為に、前記浮上油吸込みポット（１０）に流入した浮上油を排出する目的で前記浮上油吸込みポット（１０）に曲折可能なチューブ（８１）を接続したことを特徴とする請求項１に記載の浮上油の回収方法。
【請求項３】
浮上油を排出しまたは排出を停止するということは、排出では、ベローズポンプ（３０）を構成しているベローズ（３１）に浮上油を溜め込み、排出を停止することでは、前記ベローズポンプ（３０）を構成している前記ベローズ（３１）に溜め込んだ浮上油を浮上油回収タンク（５１）に送り込むものであることを特徴とする請求項１または請求項２に記載の浮上油の回収方法。
【請求項４】
浮上油の排出を停止するのに際して、次の浮上油の前記ベローズポンプ（３０）に対する溜め込みが円滑に成される様に、前記浮上油吸込みポット（１０）から前記ベローズポンプ（３０）の間の前記浮上油回収タンク（５１）に至る分岐部（４１）と前記浮上油吸込みポット（１０）の間に、前記分岐部（４１）の側から前記浮上油吸込みポット（１０）の側に浮上油が逆流するのを防止するようにしたことを特徴とする請求項３に記載の浮上油の回収方法。
【請求項５】
水平に位置している台（１１ａ）と前記台（１１ａ）に対して垂直に位置している吸込管（１１ｃ）と前記吸込管（１１ｃ）の外周に位置している円筒状のポット（１１ｂ）が一体になった本体（１１）があり、
前記ポット（１１ｂ）の上面は前記吸込管（１１ｃ）の上面より更に上部に位置して各々開口し、
前記吸込管（１１ｃ）の上部には流入口（１１ｙ）を前記吸込管（１１ｃ）の下部と一体でその延長上に在る前記台（１１ａ）には流出口（１１ｚ）が形成されて継手（１６）と曲折可能なチューブ（９１）を接続し、
前記ポット（１１ｂ）の内側と前記吸込管（１１ｃ）の外側と前記台（１１ａ）の間で液体を収納可能な空間を形成し、
前記台（１１ａ）の上面には前記本体（１１）を浮上させる浮子（１２）を一体に配設することで浮上油吸込みポット（１０）を構成し、
前記継手（１６）の下流に接続しているポンプ（３０）の作動によって前記浮上油吸込みポット（１０）から浮上油を排出している際には、前記浮上油吸込みポット（１０）を下降させると同時に浮上油が前記ポット（１１ｂ）の何れかの位置から流入するように構成したことを特徴とする浮上油の回収装置。
【請求項６】
前記ポット（１１ｂ）の上部には、その下部が前記流入口（１１ｙ）より下側に位置するように垂直方向に切り欠いた状態の入口（１１ｘ）を形成したことを特徴とする請求項５に記載の浮上油の回収装置。
【請求項７】
前記浮子（１２）を二組配設した場合には、前記台（１１ａ）の下面に、前記浮上油吸込みポット（１０）の安定度を向上させる目的でバランサー（１４）を一体に形成したことを特徴とする請求項５または請求項６に記載の浮上油の回収装置。
【請求項８】
前記チューブ（９１）は浮上油配管（９２）を経由して第二逆止弁（４１）に接続し、前記第二逆止弁（４１）は前記ポンプ（３０）と浮上油回収タンク（５１）に個々に接続し、前記第二逆止弁（４１）は前記ポンプ（３０）が前記浮上油吸込みポット（１０）から排出した浮上油を溜め込むことと前記浮上油回収タンク（５１）に浮上油を送り込むように規制しているものであることを特徴とする請求項５ないし請求項７の何れか１項に記載の浮上油の回収装置。
【請求項９】
前記ポンプ（３０）は、ベローズ（３１）と偏芯カム（３２）を構成したベローズポンプ（３０）であり、溜め込みの動作では前記偏芯カム（３２）の働きによって前記ベローズ（３１）を伸ばすことで前記浮上油吸込みポット（１０）の排出した浮上油を前記ベローズ（３１）に溜め込み、送り込みの動作では前記偏芯カム（３２）の働きによって前記ベローズ（３１）を縮めることで浮上油を送り込むものであることを特徴とする請求項５ないし請求項８の何れか１項に記載の浮上油の回収装置。
【請求項１０】
前記ポンプ（３０）の作動によって前記浮上油吸込みポット（１０）に流入した浮上油を排出しまたは排出を停止する際に次の排出が円滑に行くように、前記ポンプ（３０）の側から前記浮上油吸込みポット（１０）の側に浮上油が逆流するのを防止する目的で、前記チューブ（９１）の前記継手（１６）と反対の端部に第一逆止弁（２２）を配設したことを特徴とする請求項５ないし請求項９の何れか１項に記載の浮上油の回収装置。
【発明の詳細な説明】
【技術分野】
【０００１】  本発明は、浮上油の回収方法および回収装置に関する技術であって、更に詳細に述べると、液面に浮上した油を回収する技術を浮上油吸込みポットを上下させることによって行う具体的な内容について述べたものである。
【背景技術】
【０００２】  従来、浮上油の回収方法および回収装置に関する技術としては、液槽内に蛇腹筒からなる可撓性部材をフロートによって浮かせて液体溜めを形成し、その液体溜めに溜まった表層油を排出することで可撓性部材を縮ませフロートを下降させ、それによって液体溜めに表層液を流入（回収）させる内容に関するものがある（例えば、特許文献１参照。）。【０００３】  以下、浮上油の回収方法および回収装置に関係する、従来の表層液排出装置ついて説明する。【０００４】  この場合、液槽１５内の液体中に配設する板状の基体１と、この基体１の外周部に一端部を固着した蛇腹筒または隔壁からなる可撓性部材２、２３と、この可撓性部材２、２３の他端部を堰板兼用外周壁９の外周側に取付環１２を介して固着したフロート４と、前記基体１、可撓性部材２、２３、取付環１２およびフロート４で囲まれた内部に形成しかつフロート４に設けた液体流入口１１から液体の表層液を流入させる液体溜め５と、この液体溜め５内の底部に開口させて前記基体１に固定し前記液槽１５外に表層液を排出させる液体排出管１３とを備え、前記液体溜め５の内部の液量によってフロート４を浮上、沈下させ、フロート４の沈下ごとに液槽１５内の表層液を液体溜め５内に回収するようにすると共に、前記フロート４は、液槽１５内の液体の表面の上、下にフロート４の浮上、沈下によって移動する前記堰板兼用外周壁９の上端部に、外周側から内周側に向かって低くなる上壁６を固着し、前記上壁６の内周部に内周壁７の上端部を固着し、内周壁７の下端部に固着した下壁８に外周壁９の下端部を固着した中空体からなるフロート本体１０を有し、前記内周壁７の中心側に液体流入口１１を形成したことを特徴としている。【０００５】  ここで機能面を述べると、ポンプの作動で可撓性部材２、２３内の液体溜め５に溜まった表層液が液体排出管１３より排出されることで可撓性部材２、２３が縮み、同時に液面１６ａより下にフロート４が下がり水面の表層液を液体溜め５に回収する（流入する）ようになる。  即ち、液体溜め５の表層液の排出と、水面の表層液が液体溜め５に回収する（流入させる）タイミングを変えているのである。  尚、可撓性部材２、２３と一体のフロート４は、液槽１５内の液体１６でなく液体溜め５の中に入っている液に浮いている点も大きな特徴である。
【特許文献１】    特許番号第２６３５４８２号
【発明の開示】
【発明が解決しようとする課題】
【０００６】  しかしながら、このような従来の、表層液排出装置に関しては、以下に示すような課題があった。【０００７】  先ず、液体溜めに表層液を回収する（流入させる）のに際し、ポンプの側に排出する為に接続している配管の内部を液体が流れることによって発生するであろう運動を、表層液を流入させる液体流入口を備えた液体溜めを形成している浮揚物の上下運動として使用している技術は見られなかった。【０００８】  従って、上下運動の発生に蛇腹筒または隔壁からなる可撓性部材を使用することで、装置全体として無駄な構成を行っていた。【０００９】  その為に、装置全体が複雑となり、装置の組立や故障に際して分解する際には、その作業を困難にしていた。
【課題を解決するための手段】
【００１０】  本発明は、浮上油を流入させる入口１１ｘの一部が液面ＷＬを覗くように浮いている浮上油吸込みポット１０が在り、前記浮上油吸込みポット１０に流入した浮上油を排出しまたは排出を停止することで、排出の際に前記浮上油吸込みポット１０を下降させると同時に浮上油が前記入口１１ｘより流入するようにしたことを特徴とし、更には、排出の際に前記浮上油吸込みポット１０を下降させる為に、前記浮上油吸込みポット１０に流入した浮上油を排出する目的で前記浮上油吸込みポット１０に曲折可能なチューブ８１を接続したことを特徴とし、更には、浮上油を排出しまたは排出を停止するということは、排出では、ベローズポンプ３０を構成しているベローズ３１に浮上油を溜め込み、排出を停止することでは、前記ベローズポンプ３０を構成している前記ベローズ３１に溜め込んだ浮上油を浮上油回収タンク５１に送り込むものであることを特徴とし、更には、浮上油の排出を停止するのに際して、次の浮上油の前記ベローズポンプ３０に対する溜め込みが円滑に成される様に、前記浮上油吸込みポット１０から前記ベローズポンプ３０の間の前記浮上油回収タンク５１に至る分岐部４１と前記浮上油吸込みポット１０の間に、前記分岐部４１の側から前記浮上油吸込みポット１０の側に浮上油が逆流するのを防止するようにしたことを特徴とすることによって、上記課題を解決したのである。【００１１】  また本発明は、水平に位置している台１１ａと前記台１１ａに対して垂直に位置している吸込管１１ｃと前記吸込管１１ｃの外周に位置している円筒状のポット１１ｂが一体になった本体１１があり、前記ポット１１ｂの上面は前記吸込管１１ｃの上面より更に上部に位置して各々開口し、前記吸込管１１ｃの上部には流入口１１ｙを前記吸込管１１ｃの下部と一体でその延長上に在る前記台１１ａには流出口１１ｚが形成されて継手１６と曲折可能なチューブ９１を接続し、前記ポット１１ｂの内側と前記吸込管１１ｃの外側と前記台１１ａの間で液体を収納可能な空間を形成し、前記台１１ａの上面には前記本体１１を浮上させる浮子１２を一体に配設することで浮上油吸込みポット１０を構成し、前記継手１６の下流に接続しているポンプ３０の作動によって前記浮上油吸込みポット１０から浮上油を排出している際には、前記浮上油吸込みポット１０を下降させると同時に浮上油が前記ポット１１ｂの何れかの位置から流入するように構成したことを特徴とし、更には、前記ポット１１ｂの上部には、その下部が前記流入口１１ｙより下側に位置するように垂直方向に切り欠いた状態の入口１１ｘを形成したことを特徴とし、更には、前記浮子１２を二組配設した場合には、前記台１１ａの下面に、前記浮上油吸込みポット１０の安定度を向上させる目的でバランサー１４を一体に形成したことを特徴とし、更には、前記チューブ９１は浮上油配管９２を経由して第二逆止弁４１に接続し、前記第二逆止弁４１は前記ポンプ３０と浮上油回収タンク５１に個々に接続し、前記第二逆止弁４１は前記ポンプ３０が前記浮上油吸込みポット１０から排出した浮上油を溜め込むことと前記浮上油回収タンク５１に浮上油を送り込むように規制しているものであることを特徴とし、更には、前記ポ��プ３０は、ベローズ３１と偏芯カム３２を構成したベローズポンプ３０であり、溜め込みの動作では前記偏芯カム３２の働きによって前記ベローズ３１を伸ばすことで前記浮上油吸込みポット１０の排出した浮上油を前記ベローズ３１に溜め込み、送り込みの動作では前記偏芯カム３２の働きによって前記ベローズ３１を縮めることで浮上油を送り込むものであることを特徴とし、更には、前記ポンプ３０の作動によって前記浮上油吸込みポット１０に流入した浮上油を排出しまたは排出を停止する際に次の排出が円滑に行くように、前記ポンプ３０の側から前記浮上油吸込みポット１０の側に浮上油が逆流するのを防止する目的で、前記チューブ９１の前記継手１６と反対の端部に第一逆止弁２２を配設したことを特徴とすることによって、上記課題を解決したのである。
【発明の効果】
【００１２】  以上の説明から明らかなように、本発明によって、以下に示すような効果をあげることが出来る。【００１３】  第一に、ポンプの側に浮上油吸込みポットに流入した浮上油を排出するのに際し、浮上油吸込みポットを下降させると同時に浮上油が入口より流入するようにしたことで、浮上油を排出する際に液体が流れることによって発生するであろう運動を使用することによって、無駄な機能を省いて浮上油を回収することが可能となった。【００１４】  第二に、排出の際に浮上油吸込みポットを下降させる為に、浮上油吸込みポットに流入した浮上油を排出する目的で浮上油吸込みポットに曲折可能なチューブを接続したことで、単純な方法で浮上油を回収することが可能となった。【００１５】  第三に、ベローズポンプの特性を有効に使うことで、排出では、ベローズポンプを構成しているベローズに浮上油を溜め込み、排出を停止することでは、ベローズポンプを構成しているベローズに溜め込んだ浮上油を浮上油回収タンクに送り込むように、無駄のない単純な方法で浮上油を回収することが可能となった。【００１６】  第四に、浮上油の排出を停止するのに際して、浮上油吸込みポットからベローズポンプの間の浮上油回収タンクに至る分岐部と浮上油吸込みポットの間に、分岐部の側から浮上油吸込みポットの側に浮上油が逆流するのを防止することで、次の浮上油のベローズポンプに対する溜め込みが円滑に成されるようになった。【００１７】  第五に、水平に位置している台と台に対して垂直に位置している吸込管と吸込管の外周に位置している円筒状のポットが一体になった本体がある中で、ポットの上面は吸込管の上面より更に上部に位置して各々開口し、吸込管の上部には流入口を吸込管の下部と一体でその延長上に在る台には流出口が形成され、ポットの内側と吸込管の外側と台の間で液体を収納可能な空間を形成することで、非常に単純な構成での浮上油の回収装置を可能とした。【００１８】  第六に、ポットの上部には、その下部が流入口より下部に位置するように垂直方向に切り欠いた状態の入口を形成したことで、浮上油の浮上油吸込みポットに対する流入が更に円滑な浮上油の回収装置を可能とした。【００１９】  第七に、浮上油吸込みポットを構成している台の下面にバランサーを配設することによって、浮上油吸込みポットが非常に安定したものとなった。【００２０】  第八に、浮上油吸込みポットと伸び縮みによって溜め込みと送り出しの機能を持ったベローズポンプと逆止弁を二組収納した第二逆止弁と浮上油回収タンクの組み合わせによって、単純な構成で浮上油の回収装置を可能とした。
【発明を実施するための最良の形態】
【００２１】  以下、本発明の実施の形態を図面と共に詳細に説明する。
ここで、図１は、本発明の浮上油の流入と排出と溜め込み（ベローズが伸びる）を示した図であり、図２は、本発明の浮上油の送り込み（ベローズが縮む）を示した図であり、図３は、本発明の浮上油吸込みポットの詳細図であり、図４は、本発明のポットと吸込管の上部を示した図である。【００２２】  先ず、図１、図２に見られるように、１０は浮上油吸込みポットであり、油が混入してその油が浮上するような液体を収納したタンク２１の液面ＷＬに位置して浮いている。この場合、タンク２１に収められている液体は、ドレン水や各種の油の混入した廃液等であり、具体的に図示していないが、ドレン水の発生する機器からドレントラップで送り込まれたり、廃液層からポンプによって送り込まれたりしている。【００２３】  ところで、浮上油吸込みポット１０は、図３に見られるように、水平に位置している台１１ａと台１１ａに対して垂直に位置している吸込管１１ｃと吸込管１１ｃの外周に位置している円筒状のポット１１ｂが一体になった本体１１と、吸込管１１ｃに一体の台１１ａの台１１ａの側に在って流体を吸込管１１ｃと共に通過可能にして螺合によって構成した継手１６と、台１１ａの上面に浮上油吸込みポット１０の本体１１を浮上させる目的で浮子取付ネジ１３によって装着された浮子１２と、台１１ａの下面には浮上油吸込みポット１０の安定度を向上させる目的でバランサー取付ネジ１５によって装着されたバランサー１４を一体にした形で構成し、継手１６には曲折可能なチューブ９１が接続している。尚、チューブ９１としては、シリコンチューブや柔らかいゴム製のもの等曲折可能なものであればどの様なものでも構わない。【００２４】  この場合、バランサー１４に関しては、浮子１２を二組配設した場合には構成する意味は有るが、浮子１２を三組や四組配設した場合には構成の意味は認められない。  また、バランサー１４は、バランサー取付ネジ１５で装着する以外に、溶接や蝋付けや接着剤による方法でも構わない。【００２５】  また、浮子１２に関しては、浮子１２にネジ加工をして台１１ａに直接螺合によって固定したり、溶接や蝋付けや接着剤による方法でも構わない。【００２６】  ところで、ポット１１ｂの上面は、図４に見られる様に、吸込管１１ｃの上面より更に上部に位置してポット１１ｂと吸込管１１ｃの各々は開口し、吸込管１１ｃの上部には流入口１１ｙを、吸込管１１ｃの下部と一体でその延長上に在る台１１ａには流出口１１ｚが形成されて継手１６に繋ながっている。【００２７】  更に、ポット１１ｂの上部には、図４に見られる様に、その最下部が流入口１１ｙより下側に位置するように垂直方向に切り欠いた状態の入口１１ｘを形成している。  但し、垂直方向に切り欠いた状態の入口１１ｘの最下部の位置としては、流入口１１ｙと同じ位置でも流入口１１ｙより高い位置でも構わない。  この場合、垂直方向に切り欠いた状態の入口１１ｘの数としては、１箇所でも、１８０度の角度で背中合わせに２箇所設けても、３箇所でも、４箇所でも、それ以上でも構わない。  尚、２箇所設けた場合でも、１８０度の角度にこだわる必要は無い。【００２８】  この様にして、ポット１１ｂの内側と吸込管１１ｃの外側と台１１ａに間で、台��１ａを底部として液体を収納可能な空間を形成している。【００２９】  一方、浮上油吸込みポット１０を構成している継手１６には曲折可能な柔らかいチューブ９１が接続し、第一逆止弁２２を経由して、更に浮上油配管９２と第二逆止弁４１に繋ながっている。  この場合、第一逆止弁２２は、チューブ９１から浮上油配管９２に向かって流体は流れるが浮上油配管９２からチューブ９１に向かって流体は流れないようになっている。【００３０】  ここで、第二逆止弁４１は、分岐部４１としての役割も持っている。  即ち、分岐部４１として、浮上油吸込みポット１０からの浮上油配管９２に加えて、浮上油回収タンク５１に接続する回収配管９４とポンプ３０に接続するポンプ配管９３に分岐させているのである。【００３１】  尚、第二逆止弁４１は、内部に逆止弁が二組収納されていて、図１、図２に示す様に、浮上油配管９２から第二逆止弁４１を経由してポンプ配管９３に至る流れと、ポンプ配管９３から第二逆止弁４１を経由して回収配管９４に至る流れのこの二つの流れの方向だけが流体を流すことが出来るようになっているのである。【００３２】  ところで、一端を第二逆止弁４１に接続しているポンプ配管９３は、他端をポンプ３０に接続している。  この場合、ポンプ３０を中心に、一つの動作としては、図１に見られる様に、接続している浮上油吸込みポット１０では浮上油の流入と排出の動作を同時に行いながらその浮上油をポンプ１０に送って溜め込み、一方次の動作としては、図２に見られる様に、浮上油吸込みポット１０では浮上油の流入と排出の動作の無い静止の状態を保ちながらポンプ３０の方では前の動作でポンプ３０に溜め込んだ浮上油を浮上油回収タンク５１に送り出しているものであり、これ等の動作が出来ればどの様な方式のものを使用しても構わない。  この様にして、ポンプ３０は、溜め込みと送り出しの動作を繰り返すのである。【００３３】  従って、その様な方式のポンプ３０で最も理想的なものは、ベローズ３１と偏芯カム３２を構成したベローズポンプ３０であり、溜め込みの動作では偏芯カム３２の働きによってベローズ３１を伸ばすことで浮上油吸込みポット１０の排出した浮上油をベローズ３１に溜め込み、送り込みの動作では偏芯カム３２の働きによってベローズ３１を縮めることで浮上油を浮上油回収タンク５１に送り込むものである。【００３４】  尚、ベローズポンプ３０と第二逆止弁４１とを組み合わせたものと類似した他の方式としては、一般的な吐出ポンプを使用した場合にはポンプ３０によって浮上油回収タンク５１内の油を循環させている中で（ポンプ３０と浮上油回収タンク５１間には吸込みと吐出の二系統の配管が準備されていることが必要になり、一つの例として図１、図２の回収配管９４とポンプ配管９３を吸込み系統と考え、ポンプ３０と浮上油回収タンク５１の間に吐出系統を別に設けることが考えられる。）、吸込み系統の配管の途中で分岐部４１に相当する位置で電磁弁等によって断続的に浮上油回収タンク５１からの系統と浮上油吸込みポット１０からの系統に交互に切り替えることで常に液体がポンプ３０に供給可能にすることも考えられる。【００３５】  当然のことながら、浮上油回収タンク５１から回収配管９���とポンプ配管９３を経由してポンプ３０に液体が流れている際には、浮上油吸込みポット１０の方では浮上油の流入と排出の動作の無い静止の状態を保っている必要がある。【００３６】  本発明による、浮上油の回収方法および回収装置は前述したように構成されており、以下に、その動作について説明する。【００３７】  先ず、タンク２１に、ドレン水や各種の油の混入した廃液等を、ドレン水の発生する機器からドレントラップで送り込んだり、廃液槽からポンプによって送り込み、浮上油吸込みポット１０を浮かした状態でベローズポンプ３０を構成しているモータ３３を作動させる。【００３８】  そこで、ベローズポンプ３０は、モータ３３の回転運動を例えば楕円の形状をした偏芯カム３２に伝えることで、偏芯カム３２の接しているベローズ３１を伸ばしたり縮めたりすることが出来るようになっている。  この場合、図１はベローズ３１を伸ばした状態を示したものであり、図２はベローズ３１を縮めた状態を示したものである。【００３９】  即ち、図１に見られる様に、ベローズ３１を伸ばす溜め込みの動作の場合には、ベローズ３１に流入する液体は、浮上油吸込みポット１０に接続している曲折が容易なチューブ９１と第一逆止弁２２と浮上油配管９２と第二逆止弁４１とポンプ配管９３を経由して送り込まれる。  その際、曲折が容易なチューブ９１内部を液体が流れることによってチューブ９１自身が曲折運動を行い、その運動によって浮上油吸込みポット１０が上下する。それと共に、液面ＷＬの浮上油が浮上油吸込みポット１０の入口１１ｘからポット１１ｂに流入し、更に吸込管１１ｃの流入口１１ｙから流出口１１ｚを通って継手１６からチューブ９１に送り込まれるようになっている。【００４０】  次に、チューブ９１に送り込まれた浮上油は、第一逆止弁２２と浮上油配管９２と第二逆止弁４１とポンプ配管９３を経由してベローズポンプ３０を構成しているベローズ３１に送り込まれる。  この場合、ベローズポンプ３０の側から見れば送り込まれると言うより、むしろモータ３３の回転によってベローズ３１を伸縮し、伸ばした時点で積極的に吸引していると言うことが出来る。【００４１】  尚、第一逆止弁２２は、ベローズポンプ３０のベローズ３１が伸ばしの動作を終えて縮めの動作を行っている間、浮上油吸込みポット１０と第二逆止弁４１の間は液体の流れは停止状態となる。  その時、各配管の立ち上げ部に於いては、液体が重力で落下することで空間部を形成し、次の送り込みに際して空間部に溜まった空気を送り込むという悪さをする可能性が考えられる。【００４２】  従って、前述の理由に対応する為に落下防止の目的で第一逆止弁２２を設けたもので、その位置は、図１や図２にみられるように、長い立ち上げ部の下方の位置、または浮上油吸込みポット１０に近い所に位置させるのが望ましい。  但し、図１、図２に示す位置が最も望ましい位置であるが、その理由はチューブ９１の運動を浮上油吸込みポット１０の上下に最も活用出来るからである。【００４３】  一方、図２に見られる様に、ベローズ３１を縮める送り込みの動作の場合は、ベローズ３１より送り込む液体は、ベローズ３１から、ポンプ配管９３と第二逆止弁４１と回収配管９４を経由し��浮上油タンク５１に送り込まれる。
【図面の簡単な説明】
【００４４】
【図１】  本発明の浮上油の流入と排出と溜め込み（ベローズが伸びる）を示した図
【図２】  本発明の浮上油の送り込み（ベローズが縮む）を示した図
【図３】  本発明の浮上油吸込みポットの詳細図
【図４】  本発明のポットと吸込管の上部を示した図
【符号の説明】
【００４５】  １０・・・・・・浮上油吸込みポット
１１・・・・・・本体
１１ａ・・・・・台
１１ｂ・・・・・ポット
１１ｃ・・・・・吸込管
１１ｘ・・・・・入口
１１ｙ・・・・・流入口
１１ｚ・・・・・流出口
１２・・・・・・浮子
１３・・・・・・浮子取付ネジ
１４・・・・・・バランサー
１５・・・・・・バランサー取付ネジ
１６・・・・・・継手
２１・・・・・・タンク
２２・・・・・・第一逆止弁
３０・・・・・・ベローズポンプ（ポンプ）
３１・・・・・・ベローズ
３２・・・・・・偏芯カム
３３・・・・・・モータ
４１・・・・・・第二逆止弁（分岐部）
５１・・・・・・浮上油回収タンク
９１・・・・・・チューブ
９２・・・・・・浮上油配管
９３・・・・・・ポンプ配管
９４・・・・・・回収配管
ＷＬ・・・・・・液面
【図１】
2006061894.tif 000003
【図２】
2006061894.tif 000004
【図３】
2006061894.tif 000005
【図４】
2006061894.tif 000006